(57)【要約】【課題】安定した無線通信が可能な小型の照明装置を提供する。【解決手段】無線通信により通信可能な照明装置（１）であって、制御基板（３３）を有する第１の筐体（３）と、光源（２２）を有し、第１の筐体に対して相対的に回動可能な第２の筐体（２）と、制御基板に設けられた昇圧トランス（３４）と、無線通信のための検出部（３６）とを有し、第１の筐体は、昇圧トランスが配置されている位置において、外側へ向けて突出した凸部（１２ａ）を有し、検出部は、昇圧トランスに対して、制御基板の基板面に平行であって、かつ基板面の上下方向および左右方向のいずれとも異なる斜め方向に配置されている。【選択図】図２
2019144488.tif 000002
【特許請求の範囲】
【請求項１】
無線通信により通信可能な照明装置であって、
制御基板を有する第１の筐体と、
光源を有し、前記第１の筐体に対して相対的に回動可能な第２の筐体と、
前記制御基板に設けられた昇圧トランスと、
前記無線通信のための検出部と、を有し、
前記第１の筐体は、前記昇圧トランスが配置されている位置において、外側へ向けて突出した凸部を有し、
前記検出部は、前記昇圧トランスに対して、前記制御基板の基板面に平行であって、かつ前記基板面の上下方向および左右方向のいずれとも異なる斜め方向に配置されていることを特徴とする照明装置。
【請求項２】
前記第１の筐体は、前記昇圧トランスが配置されている位置において、前記検出部が配置されている位置よりも外側へ向けて突出していることを特徴とする請求項１に記載の照明装置。
【請求項３】
前記制御基板は、前記第１の筐体の前面側に設けられたフロントカバーと平行に配置されており、
前記凸部は、前記フロントカバーの膨らみ部であることを特徴とする請求項１または２に記載の照明装置。
【請求項４】
前記第２の筐体のバウンス状態を判定するバウンス判定部を更に有し、
前記バウンス判定部は、前記フロントカバーの前記膨らみ部の位置に設けられていることを特徴とする請求項３に記載の照明装置。
【請求項５】
前記第２の筐体に近い側から順に、前記バウンス判定部と前記昇圧トランスは、前記フロントカバーの前記膨らみ部の内部に収納されるように配置されていることを特徴とする請求項４に記載の照明装置。
【請求項６】
前記昇圧トランスは、前記制御基板の基板面のうち前記第１の筐体の前記前面側に実装されており、
前記検出部は、前記制御基板の前記前面側に配置されていることを特徴とすることを特徴とする請求項３乃至５のいずれか１項に記載の照明装置。
【請求項７】
前記検出部は、光を用いた前記無線通信に用いられる受光センサであり、
前記受光センサは受光センサ基板に実装されており、
前記フロントカバーには窓が設けられており、
前記受光センサ基板は、前記受光センサが前記窓に対応する位置に配置されるように前記フロントカバーに取り付けられていることを特徴とする請求項３乃至６のいずれか１項に記載の照明装置。
【請求項８】
前記昇圧トランスは、前記照明装置の電源電圧を昇圧することを特徴とする請求項１乃至７のいずれか１項に記載の照明装置。
【請求項９】
撮像素子と、
請求項１乃至８のいずれか１項に記載の照明装置と、を有することを特徴とする撮像装置。
【発明の詳細な説明】
【技術分野】
【０００１】
本発明は、無線通信により通信可能なストロボ装置に関する。
【背景技術】
【０００２】
従来、電源となる電池の電圧を昇圧トランスで昇圧し、メインコンデンサに電荷を蓄積するストロボ装置が知られている。昇圧トランスは、ストロボ装置内の電気部品においてメインコンデンサに次いで大きく、厚みもあるため、昇圧トランスの配置には工夫が必要である。また、昇圧トランスからは強力な磁界ノイズが発生するため、光無線通信の受光センサなど磁界ノイズの影響が受けやすい部品の配置には注意が必要である。
【０００３】
特許文献１および特許文献２には、制御部の中央にバッテリーケースが設けられ、その下側に配置された基板上に昇圧トランスが実装された照明装置（ストロボ装置）が開示されている。一方、光無線通信の受光センサは、フロントケースの正面側に受光窓を設けて配置されている。このように、光無線通信の受光センサは、昇圧トランスが実装された基板に対して直交する位置に配置されている。
【先行技術文献】
【特許文献】
【０００４】
【特許文献１】特開２０１７−６８０６７号公報
【特許文献２】特開２０１３−１１７５９６号公報
【発明の概要】
【発明が解決しようとする課題】
【０００５】
しかしながら、特許文献１および特許文献２に開示されているように昇圧トランスを配置すると、制御部の高さが大きくなり、照明装置の小型化を図ることができない。一般的に、照明装置を小型化すると、昇圧トランスと受光センサとの間の距離が近くなるため、受光センサがノイズの影響を受けやすくなり、無線通信が不安定となる。
【０００６】
そこで本発明は、安定した無線通信が可能な小型の照明装置および撮像装置を提供することを目的とする。
【課題を解決するための手段】
【０００７】
本発明の一側面としての照明装置は、無線通信により通信可能な照明装置であって、制御基板を有する第１の筐体と、光源を有し、前記第１の筐体に対して相対的に回動可能な第２の筐体と、前記制御基板に設けられた昇圧トランスと、前記無線通信のための検出部とを有し、前記第１の筐体は、前記昇圧トランスが配置されている位置において、外側へ向けて突出した凸部を有し、前記検出部は、前記昇圧トランスに対して、前記制御基板の基板面に平行であって、かつ前記基板面の上下方向および左右方向のいずれとも異なる斜め方向に配置されている。
【０００８】
本発明の他の側面としての撮像装置は、撮像素子と前記照明装置とを有する。
【０００９】
本発明の他の目的及び特徴は、以下の実施形態において説明される。
【発明の効果】
【００１０】
本発明によれば、安定した無線通信が可能な小型の照明装置および撮像装置を提供することができる。
【図面の簡単な説明】
【００１１】
【図１】本実施形態におけるストロボ装置の外観斜視図である。
【図２】本実施形態におけるストロボ装置の分解斜視図である。
【図３】本実施形態におけるストロボ装置の断面図である。
【図４】本実施形態におけるストロボ装置の内部構成の斜視図である。
【発明を実施するための形態】
【００１２】
以下、本発明の実施形態について、図面を参照しながら詳細に説明する。各図において、同一の部材については同一の参照番号を付し、重複する説明は省略する。
【００１３】
まず、図１を参照して、本実施形態におけるストロボ装置（照明装置）の外観について説明する。図１は、本実施形態におけるストロボ装置１の外観斜視図であり、図１（ａ）はストロボ装置１を発光パネル４が配置されている正面側から見た図、図１（ｂ）はストロボ装置１を背面側（操作部側）から見た図をそれぞれ示す。本実施形態のストロボ装置１は、光を用いた無線通信（光無線通信）により、無線通信可能な撮像装置や照明装置や無線通信機などの他の電子機器と通信可能である。
【００１４】
ストロボ装置１は、大きく分けて、上部側のヘッド部（第２の筐体）２と下部側の制御部（第１の筐体）３とから構成されている。ヘッド部２は、発光パネル４の内側にキセノン管（光源）２２を備え、バウンス動作により発光パネル４からの照射光の照射方向を制御部３に対して相対的に変化させるバウンス機能を有する。またヘッド部２は、可動部５ａと固定部５ｂとからなる発光ユニットケース５、および、円筒形状のバウンスケース６を備えて構成されている。発光ユニットケース５は、バウンスケース６に対して相対的に垂直方向（Ｚ方向）におけるバウンス動作が可能である。バウンスケース６は、制御部３に対して相対的に水平方向（ＸＹ面内方向）におけるバウンス動作が可能である。このようにヘッド部２は、制御部３に対して相対的に回動可能であり、光源（キセノン管２２）の照射方向（照射角度）を変化させるように動作する。また制御部３は、ヘッド部２を支持してヘッド部２の動作を制御する。
【００１５】
リアカバー（外装部材）７は、制御部３の背面側に設けられている。リアカバー７には、操作ダイヤル８等の操作部が配置され、各種の機能設定を行うことができる。９は、制御部３の内部に電源用の電池１６を装填するための開閉可能な電池蓋である。ボトムカバー１０は、下面側の外装部材である。ボトムカバー１０には、不図示のカメラ（撮像装置）のアクセサリシューに着脱可能に装着するための接続部である脚部１１が備えられている。フロントカバー１２は、制御部３の正面側の外装部材である。フロントカバー１２の中央部には、その前方に突出したバルジ部（膨らみ部または凸部）１２ａが設けられている。窓１３は、光を透過する光学部材である。
【００１６】
以上のように、本実施形態では、制御部３のバルジ部１２ａが設けられている側を正面側（前面側）、表示部や操作部が設けられている側を背面側（後面側）とし、制御部３の脚部１１が設けられている側を下面側としている。そして、図１に示されるＸ方向は制御部３の前後方向、Ｙ方向は制御部３の左右方向、Ｚ方向は制御部３の上下方向に対応している。なお、以下では特に説明がない限り、ストロボ装置１の前後方向、左右方向、および、上下方向は、制御部３の前後方向、左右方向、および、上下方向とそれぞれ等しいものとする。
【００１７】
次に、図２乃至図４を参照して、ストロボ装置１の内部構造について説明する。図２は、制御部３からフロントカバー１２およびボトムカバー１０を取り外して正面側から見た、制御部３の内部を示す分解斜視図である。図３は、ストロボ装置１の左右方向に直交する断面を示す縦断面図である。図４は、フロントカバーを取り外して下面側から見た制御部３の内部構成を示す斜視図である。
【００１８】
まず、ヘッド部２の構成について説明する。本実施形態におけるストロボ装置１は、発光パネル４とキセノン管（光源）２２との間の相対距離の変化により照射範囲（配光）を変化させる手動ズーム機構を有する。発光ユニットケース５の内部の大部分は、発光ユニットで占められている。発光ユニットは、反射傘ホルダー２１に、キセノン管２２、および、キセノン管２２の光を前方へ反射させる反射傘２３が取り付けられて構成されている。発光ユニットケース５の可動部５ａは、発光パネル４を保持しており、手動で引き出すことにより照射方向に発光パネル４が移動する。これにより、キセノン管２２と発光パネル４との間の距離が離れ、配光を広角側から望遠側へ変化させることができる。
【００１９】
円筒形状を有するバウンスケース６の内部には、メインコンデンサ３０が設けられている。すなわちメインコンデンサ３０は、ヘッド部２を制御部３に対して相対的に垂直方向（Ｚ方向）に回動させる際の回動軸上に配置されている。またメインコンデンサ３０は、後述するヘッド部２と制御部３との連結部の近傍に配置されている。メインコンデンサ３０は、ヘッド部２に収納され、キセノン管２２を発光させるための電荷を蓄積する。この蓄積電荷により、キセノン管２２の発光に必要な高電圧が生成される。制御部３と対向するバウンスケース６の下面には、水平バウンス用（ＸＹ平面内バウンス用）の軸部６ａが形成されている。
【００２０】
キセノン管２２などから伸びるヘッド部２の配線類は、メインコンデンサ３０に接続される配線とともにワイヤハーネス２６を構成する。ワイヤハーネス２６は、軸部６ａの中央に形成された穴部６ｂからヘッド部２の外側に引き出され、ヘッド部２のキセノン管２２およびメインコンデンサ３０等の電子部品と、制御部３の第１の制御基板３２および第２の制御基板３３とを電気的に接続する。また、バウンスケース６の軸部６ａの先端には、回転板１４が取り付けられており、ヘッド部２の水平バウンスを所定の角度で規制する役割を有する。また回転板１４は、制御部３からのヘッド部２の抜け止めの役割を有し、ヘッド部２と制御部３の連結部として機能する。
【００２１】
次に、制御部３の内部構成について説明する。制御部３の内部中央には、バッテリーケース１５が設けられている。バッテリーケース１５には、電源用の電池１６（本実施形態では、２本の単三型電池）がＹ方向から出し入れ可能で、縦に（Ｚ方向に）重なって収納される。バッテリーケース１５の上方には、ヘッド部２から突出するバウンスケースの軸部６ａとの間において、所定の空間領域１７が設けられている。空間領域１７は、ワイヤハーネス２６を弛緩させた状態で収納するために設けられている。ワイヤハーネス２６は、後述の第１の制御基板３２および第２の制御基板３３に接続される。ワイヤハーネス２６がその長さに余裕を持たずに緊張状態を有して接続されると、ヘッド部２の水平バウンス動作により捩じり力を受け、断線する可能性がある。このため、水平バウンス動作の影響を受けないように、ワイヤハーネス２６を空間領域１７の内部において十分な弛みを持たせて収納する。
【００２２】
バッテリーケース１５の背面側、すなわちリアカバー７側には、デジタル系の回路を備えた第１の制御基板３２が配置されており、第１の制御基板３２には不図示のＣＰＵが実装されている。また第１の制御基板３２には、リアカバー７の上に配置された操作ダイヤル８や操作部材に対応したスイッチ素子類が実装される。
【００２３】
バッテリーケース１５の前面側には、電源電圧を昇圧するための昇圧トランス３４を備えた昇圧回路や不図示のＦＥＴ（電界効果トランジスタ）を備えた発光制御回路を有する第２の制御基板３３が取り付けられている。昇圧トランス３４は、第２の制御基板３３の上下方向および左右方向のそれぞれの中央前面側に配置されており、前述のフロントケースのバルジ部１２ａの空間に収まっている。
【００２４】
昇圧トランス３４の上側には、ヘッド部２のバウンス状態、すなわちヘッド部２がバウンス動作を行っているか否かを判定するバウンス検知スイッチ（バウンス判定部）３５が設けられている。バウンス検知スイッチ３５は、フロントカバー１２に保持されており、昇圧トランス３４と同様にフロントケースのバルジ部１２ａに収まり、リード線で第１の制御基板３２に接続される。発光ユニットケース５の固定部５ｂの下面には、ヘッド部２が正面を向いている基本位置にある場合にバウンス検知スイッチ３５と当接する当接部５ｃが形成されている。一方、バウンスケース６には、ヘッド部２が水平方向に回動する全領域にバウンス検知スイッチ３５に当接しない円周状の溝部６ｃが形成されている。水平方向バウンスまたは垂直方向バウンスによるいずれのバウンス状態においても、当接部５ｃがバウンス検知スイッチ３５の当接より外れることで、バウンス検知スイッチ３５はバウンス状態を検知する。バウンス水平回転機構部（バウンスケース軸部６ａ、回転板１４）を避けつつ、ヘッド部２の正面位置を検出する配置を考慮すると、フロントケースのバルジ部１２ａの上部にバウンス検知スイッチ３５を配置することが好ましい。
【００２５】
このように本実施形態において、フロントカバー１２のバルジ部１２ａの内側に沿って、上側から順に（ヘッド部２に近い側から順に）、バウンス検知スイッチ３５と昇圧トランス３４とが配置される。また本実施形態において、フロントカバー１２の正面中央には、昇圧トランス３４とバウンス検知スイッチ３５とを配置するため、バルジ部１２ａが設けられている。
【００２６】
次に、受光センサ（検出部）３６について説明する。光を用いた無線通信（光無線通信）に用いられる受光センサ３６は、光パルス信号を高精度に受信可能であるように、第２の制御基板３３上に実装される昇圧トランス３４による電磁的な影響を避ける必要がある。このため受光センサ３６は、昇圧トランス３４から離れた位置に配置することが好ましい。本実施形態では、正面側から見てフロントカバー１２の右上部に窓１３を設け、窓１３の位置に受光センサ３６が配置されるように受光センサ３６を搭載した受光センサ基板３７がフロントカバー１２に取付けられている。第２の制御基板３３と受光センサ基板３７は、略平行平面（実質的に平行な平面）の位置関係を有し、受光センサ基板３７から伸びたリード線は第１の制御基板３２に接続される。昇圧トランス３４から見て斜め方向に受光センサ３６が配置されているため、真横や真上などの隣接した位置と比較して、受光センサ３６は昇圧トランス３４から発生する電磁ノイズを受けにくい。また受光センサ３６は、昇圧トランス３４などから発生する電波ノイズの影響を低減するため、その受光面（センサ受光面）以外の部分がシールド板金で覆われている。また、昇圧トランス３４も不図示のシールド板金で覆われており、外部への電磁ノイズの放出が低減するように構成されている。
【００２７】
図３に示されるように、ストロボ装置１は、撮像素子１０２を有するカメラ（撮像装置）１００に着脱可能に取り付けられる。撮像素子１０２は、ＣＭＯＳセンサやＣＣＤセンサなどを有し、レンズ部（撮像光学系）１０１を介して形成された光学像（被写体像）を光電変換して画像データを出力する。
【００２８】
このように本実施形態において、制御部（第１の筐体）３は、昇圧トランス３４が配置されている位置において、外側（前面側）へ向けて突出した凸部（バルジ部１２ａ）を有する。好ましくは、制御部３は、昇圧トランス３４が配置されている位置において、受光センサ３６が配置されている位置よりも外側（前面側）へ向けて突出している。また好ましくは、第２の制御基板３３は、制御部３の前面側に設けられたフロントカバー１２と平行に配置されており、凸部（バルジ部１２ａ）は、フロントカバー１２の膨らみ部である。また好ましくは、バウンス検知スイッチ３５は、フロントカバー１２の膨らみ部の位置に設けられている。また好ましくは、昇圧トランス３４は第２の制御基板３３の基板面のうち制御部３の前面側に実装されており、受光センサ３６は第２の制御基板３３の前面側に配置されている。また好ましくは、受光センサ３６は、昇圧トランス３４の位置に対して正面から見て斜め方向（右斜め上、ＹＺ面内におけるＹ軸とＺ軸との間の方向）に配置されている。また好ましくは、上側から順に（ヘッド部２に近い側から順に）、バウンス検知スイッチ３５と昇圧トランス３４は、フロントカバー１２のバルジ部１２ａの内部に収納されている。
【００２９】
このようなレイアウトにより、外観を損なうことなく小型化を図りつつ、昇圧トランス３４、バウンス検知スイッチ３５、および、受光センサ３６を収納することができる。また、昇圧トランス３４から発生する電磁ノイズの影響を避けつつ良好な光無線通信が可能となる。なお本実施形態において、受光センサ（検出部）３６は、光パルス信号を受信するためのセンサであるが、検出部はこれに限定されるものではなく、例えば赤外線通信のために赤外光を受光するセンサや電波無線通信のアンテナであってもよい。
【００３０】
本実施形態によれば、安定した無線通信が可能な小型の照明装置および撮像装置を提供することができる。
【００３１】
以上、本発明の好ましい実施形態について説明したが、本発明はこれらの実施形態に限定されず、その要旨の範囲内で種々の変形及び変更が可能である。
【符号の説明】
【００３２】
１  ストロボ装置（照明装置）
２  ヘッド部（第２の筐体）
３  制御部（第１の筐体）
１２  バルジ部（凸部）
２２  キセノン管（光源）
３３  第２の制御基板
３４  昇圧トランス
３５  バウンス検知スイッチ（バウンス判定部）
３６  受光センサ（検出部）
【図１】
2019144488.tif 000003
【図２】
2019144488.tif 000004
【図３】
2019144488.tif 000005
【図４】
2019144488.tif 000006